(57)【要約】【課題】患者を寝状態にして患者の背部から治療を行う場合、治療椅子の高さを低くするが、その場合、昇降装置が基台の後側に突出し、その分、術者の足の置き場が少なくなり、歯科治療が行いにくくなる。【解決手段】基台１５と、バックレスト１１を起倒可能に支持しているコンターシート１２と、前記基台１５とコンターシート１２とを連結し、該コンターシートを前記基台の上部において垂直方向に上下動させる昇降機構１６とを有する。昇降機構１６は平行リンク機構から成り、該平行リンク機構１６は前記バックレスト１１とコンターシート１２を結ぶ直線方向に対して直角の方向に変位可能に取り付けられている。【選択図】図１
2009022512.tif 000002
【特許請求の範囲】
【請求項１】
基台と、バックレストを起倒可能に支持しているコンターシートと、前記基台とコンターシートとを連結し、該コンターシートを前記基台の上部において垂直方向に上下動させる昇降機構とを有する歯科治療椅子において、前記昇降機構が平行リンク機構から成り、該平行リンク機構は前記バックレストとコンターシートを結ぶ直線方向に対して直角の方向に変位可能に取り付けられていることを特徴とする歯科用治療椅子。
【請求項２】
前記コンターシートの前方にはレッグレストが回動可能に取り付けられていることを特徴とする請求項１に記載の歯科用治療椅子。
【請求項３】
前記基台を載置する椅子ベースを有し、該椅子ベースの後方にフットコントローラが一体的に組み込まれていることを特徴とする請求項１又は２に記載の歯科用治療椅子。
【請求項４】
前記フットコントローラは、前記椅子ベースの上部に配設されかつ該椅子ベースに対して前後・左右の方向に移動可能に取り付けられていることを特徴とする請求項３に記載の歯科用治療椅子。
【請求項５】
前記フットコントローラは、前記椅子ベースの下部に配設され、該椅子ベースを足操作にて押下することにより操作されるものであることを特徴とする請求項３に記載の歯科用治療椅子。
【発明の詳細な説明】
【技術分野】
【０００１】
本発明は、歯科用治療椅子、より詳細には、コンターシートを垂直方向に上下動させる平行リンク機構を有する歯科用治療椅子において、前記平行リンク機構の移動方向を前記コンターシートの前後方向に対して直角の方向に移動するようにした歯科用治療椅子に関する。
【背景技術】
【０００２】
図２は、従来の歯科用治療椅子の一例を説明するための要部概略構成図で、図中、１０は歯科用治療椅子で、該歯科用治療椅子１０は、バックレスト１１，コンターシート１２，レッグレスト１３，安頭台１４，基台１５，昇降機構１６，椅子ベース１７等から成り、該昇降機構１６はコンターシート１２と基台１５とを連結し、該コンターシート１２を垂直（上下）方向に移動可能に支持している。２１はワークテーブル、２２はインスツルメントホルダ、２３はインスツルメントで、歯科治療に当り、術者はインスツルメントホルダ２２より治療に必要なインスツルメント２３を取り出して必要な歯科治療を行う。
【０００３】
図３は、図２に示した歯科治療用椅子の作動状態を説明するための要部概略構成図で、図３（Ａ）に示すように、コンターシート１２の後側にはバックレスト１１が起倒可能（矢印Ａ方向に回動可能）に取り付けられており、該バックレスト１１の上方には安頭台１４が上下方向（矢印Ｂ方向に移動可能）に取り付けられている。また、コンターシート１２の前方にはレッグレスト１３が矢印Ｃ方向に回動可能に取り付けられており、該レッグレスト１３の先端にはフットレスト（図示せず）が取り付けられている。
【０００４】
歯科治療に当り、患者は治療椅子１０に座って術者（ドクター）の治療を受けるが、その際、術者は、治療椅子１０を起倒させて（１１’，１３’にて示す起状態にして又は１１”，１３”にて示す倒状態にして）、歯科治療を行うが、更には、患者の身長等に応じて治療椅子１０の高さを調整して（具体的には、昇降機構１６によってコンターシート１２を垂直方向（矢印Ｄ方向）に上下動させ、術者が治療しやすい高さ位置にして歯科治療を行う。
【０００５】
上述のように、歯科治療に当り、術者は、治療椅子を起（腰掛け）状態或いは倒（寝）状態にして歯科治療を行う。起状態にして治療を行う時は、立位にて治療を行う場合が多く、その場合には、治療椅子の高さを高くして（患者の口腔位置を高くして）治療を行う。倒（寝）状態にして治療を行う時は、通常、術者は椅子（ドクターチェア）に座って、患者の後（背面）側から治療を行うが、その場合は、図３（Ｂ）に示すように治療椅子１０の高さを低くして治療を行う。
【発明の開示】
【発明が解決しようとする課題】
【０００６】
患者を寝状態にして治療を行う場合、上述のように、治療椅子の高さを低くした状態で、術者は椅子に座って患者の後部（背部）から歯科治療を行うが、治療椅子の高さを低くした場合、昇降装置１６が基台１５の後側に突出し、その分、術者の足の置き場が少なくなり、歯科治療が行いにくくなる等の問題があった。
【０００７】
本発明は、上述のごとき問題を解決するためになされたもので、歯科治療椅子の高さを調節する昇降機構１６を基台１５の後方に設けるのではなく、基台１５の側方に設けるようにし、もって、倒（寝）状態で診療を行う時の術者の足の置き場を広くし、治療作業をしやすくするようにしたものである。
【課題を解決するための手段】
【０００８】
請求項１の発明は、基台と、バックレストを起倒可能に支持しているコンターシートと、前記基台とコンターシートとを連結し、該コンターシートを前記基台の上部において垂直方向に上下動させる昇降機構とを有する歯科治療椅子において、前記昇降機構が平行リンク機構から成り、該平行リンク機構は前記バックレストとコンターシートを結ぶ直線方向に対して直角の方向に変位可能に取り付けられていることを特徴としたものである。
【０００９】
請求項２の発明は、請求項１の発明において、前記コンターシートの前方にはレッグレストが回動可能に取り付けられていることを特徴としたものである。
【００１０】
請求項３の発明は、請求項１又は２の発明において、前記基台を載置する椅子ベースを有し、該椅子ベースの後方にフットコントローラが一体的に組み込まれていることを特徴としたものである。
【００１１】
請求項４の発明は、請求項３の発明において、前記フットコントローラは、前記椅子ベースの上部に配設されかつ該椅子ベースに対して前後・左右の方向に移動可能に取り付けられていることを特徴としたものである。
【００１２】
請求項５の発明は、請求項３の発明において、前記フットコントローラは、前記椅子ベースの下部に配設され、該椅子ベースを足操作にて押下することにより操作されるものであることを特徴としたものである。
【発明の効果】
【００１３】
歯科治療椅子の高さを調節する昇降機構を、基台の側方に設けるようにしたので、もって、倒（寝）状態で診療を行う時の術者の足の置き場が広くなり、治療作業がしやすくなった。
【発明を実施するための最良の形態】
【００１４】
図１は、本発明の一実施形態を説明するための図で、図１（Ａ）は、図２（Ａ）に示した従来の歯科治療用椅子に対応させて示す要部概略構成図、図１（Ｂ）は、治療椅子１０を後側から見た時の概略構成図で、図２及び図３に対応する部分には、図２及び図３の場合と同一の参照番号を付し、その詳細な説明は省略する。而して、本発明においては、昇降機構１６は、治療椅子１０の長手方向（安頭台１４、バックレスト１１、コンターシート１２、レッグレスト１３を結ぶ方向）に対して、直角の方向（矢印Ｅ方向）に移動可能に取り付けられている。換言すれば、昇降機構（平行リンク機構）は、基台１５から側方に突出するように移動し、治療椅子１０の後方には移動しない。従って、本発明によると、治療椅子の後部のスペースを十分に取ることができ、特に、治療椅子を倒状態にして、患者の背後から歯科治療を行うような場合、術者の足場を十分に広く取ることができ、歯科治療が非常にしやすくなる。
【００１５】
上記のように、本発明によると、椅子昇降機構（平行リンク機構）が基台１５から横方向に突出するように移動するため（従来技術のように後方に移動することがないので）、基台１５の後方にフットコントローラ（インスツルメントの駆動・停止、出力制御等を行う）を配置することが可能となった。従来技術においては、椅子昇降機構が後方に移動するため、特に、倒（寝）状態にして治療椅子を低くしたような場合、基台１５の後方に術者の足を入れることができず、基台１５の後方にフットコントローラを配置することができなかった。そのため、従来は、フットコントローラをコード等を介してインスツルメント制御部と連結し、該フットコントローラを移動可能とし、椅子昇降機構の動作範囲外の所望の位置にて操作するようにしていたが、本発明によると、基台１５の後方に広い空間が確保することができ、この空間に椅子昇降機構が張り出してくるようなことがないので、この部分（基台１５の後方）にフットコントローラを配設することが可能となる。
【００１６】
図１において、１８はフットコントローラで、該フットコントローラ１８は、基台１５の後方において、椅子ベース１７に一体的に取り付けられている。このようにすると、フットコントローラと本体部とを連結するコードが不要になり、足場まわりが整然とし、従来、足元近傍の不特定な位置にフットコントローラ自体があり、足場周りが雑然としていたが、本発明によると、フットコントローラを術者の足操作しやすい基台の後側に固定配置可能であるので、治療椅子まわりが整然とし、しかも、操作性よく歯科治療を行うことができる。
【００１７】
更には、フットコントローラ１８を椅子ベース１７に対して前後方向、左右方向に移動可能に、更には、回動可能に取り付けられるようにしておくと、術者の身長や、右足利き、左足利きに応じて、更には、術者の作業位置に応じて、フットコントローラを術者の操作しやすい位置、方向にして作業をすることができる。
【００１８】
図１には、フットコントローラ１８を椅子ベース１７の上に左右・前後方向に移動可能に、更には、回動可能に取り付け、該フットコントローラ上のオン・オフスイッチ、操作レバー等を足操作にて操作する例を示したが、本発明は、上記例に限らず、例えば、椅子ベース１７の下部に、該椅子ベース１７を押下することによってオン・オフするスイッチ、及び、該椅子ベースの押下量（変位量）に応じて抵抗値が変化する可変抵抗器等からなるコントローラを設けておき、椅子ベースを押下することによって、前記スイッチをオンにしてインスツルメントを駆動し、押下量を変えることによって該インスツルメントの出力を変えるようにしてもよい。
【００１９】
なお、本発明は、上述のように、治療椅子１０を昇降させるための昇降機構（平行リンク機構）を基台から側方に移動させるようにしたものであるが、勿論、基台１５を含めた昇降機構１６全体を９０°回転させて、昇降機構１６が、従来技術と同様、治療椅子１０の後方に移動するように取り付けることも可能であり、基台１５を含む昇降機構１６をそのまま従来の治療椅子と同様にして使用することも可能であり、使用者の要望に応じて、同一の昇降装置を用いて、本発明による歯科治療椅子を構築し、或いは、従来と同様の歯科治療椅子を構築することが容易にできる。
【図面の簡単な説明】
【００２０】
【図１】本発明による歯科治療椅子の一実施形態を説明するための図である。
【図２】従来の歯科用治療椅子の一例を説明するための要部概略構成図である。
【図３】図２に示した歯科治療用椅子の作動状態を説明するための要部概略構成図である。
【符号の説明】
【００２１】
１０…歯科用治療椅子、１１…バックレスト、１２…コンターシート、１３…レッグレスト、１４…安頭台、１５…基台、１６…昇降機構（平行リンク機構）、１７…椅子ベース、１８…フットコントローラ、２１…ワークテーブル、２２…インスツルメントホルダ、２３…インスツルメント。
【図１】
2009022512.tif 000003
【図２】
2009022512.tif 000004
【図３】
2009022512.tif 000005